(57)【要約】      （修正有）【課題】  場所を取らずコンパクトで見た目もすっきりとした体裁良好な防水パンとし、設置も簡便で点検も簡易な洗濯機用防水パンを提供する。【解決手段】  洗濯機の排水を外部に洩れることなく受けて排出できる防水パン１が、床面ａに固定され、さらに防水パン１に装着された排水トラップ本体２にホースジョイント３を介して洗濯機排水ホースｃを接続したものであって、前記防水パン１の上面部を覆う蓋体４を防水パン１に着脱自在に配備し、該蓋体４に、洗濯機排水ホースｃが接続されるホースジョイント３を挿入する開孔５と、ホースジョイント３および洗濯機排水ホースｃを嵌入するホース受け部６とを形成して、該ホース受け部６にホースジョイント３を含む洗濯機排水ホースｃを挿入保持し、洗濯機排水ホースｃを開孔５に案内して収納して洗濯機からの排水をスムーズに排出することができるようにした。【選択図】    図１
2006265953.tif 000002
【特許請求の範囲】
【請求項１】
床面の排水口に嵌合されて床面に固定され、洗濯機の排水を外部に洩れることなく受けて排出できる防水パンと、洗濯機排水ホースを接続するホースジョイントを介して床面下に配設される排水管に連結されて、トラップ機能をはたす排水トラップ本体とを備えた洗濯機用防水パンにおいて、前記防水パンの上面部を覆う蓋体を防水パンに着脱自在に配備し、該蓋体に、前記洗濯機排水ホースが接続されるホースジョイントを挿入する開孔と、洗濯機排水ホース及びホースジョイントを嵌入するホース受け部とを形成して、該ホース受け部にホースジョイントを含む洗濯機排水ホースを挿入保持したことを特徴とする洗濯機用防水パン。  
【請求項２】
請求項１記載の洗濯機用防水パンにおいて、前記蓋体が、前記洗濯機排水ホース及びホースジョイントの外周に沿う凹面をホース長手方向に添って形成したホース受け部とし、ホースジョイントと洗濯機排水ホースとの接続部からの漏水の滴り水を該ホース受け部によって受けて流し開孔を経て排水トラップ本体に導入処理することを特徴とする洗濯機用防水パン。
【請求項３】
請求項１または２記載の洗濯機用防水パンにおいて、前記蓋体が、前記ホースジョイントの外周に沿って開口のあるカバーを前記ホースジョイントを挿入する開孔の周囲上面に突設したことを特徴とする洗濯機用防水パン。
【請求項４】
請求項１，２または３記載の洗濯機用防水パンにおいて、前記ホース受け部が、前記蓋体に突設した突出片を備えて、前記洗濯機排水ホースを結束バンドによってバンド掛け止めできるホース固定係止部を備えたことを特徴とする洗濯機用防水パン。  
【請求項５】
請求項１，２，３または４記載の洗濯機用防水パンにおいて、前記蓋体が、前記防水パンの内周縁部に嵌合する外周面を有する合成樹脂製覆体からなり内外周面に形設した凹凸係止部でによって防水パン上に嵌合固着したことを特徴とする洗濯機用防水パン。    
【請求項６】
請求項４または５記載の洗濯機用防水パンにおいて、前記排水トラップ本体が、トラップ機能を果たす封水カップと、該封水カップに流水用の間隔をあけて嵌挿され下端開口部で連通する封水筒と、さらに該封水筒に流水用の間隔をあけて嵌挿され、前記封水カップに載置される案内筒とを挿脱自在に備えられ、該排水トラップ本体に、洗濯機排水ホースが接続される排水ホース取付用のホースジョイントのある目皿を目皿受を介して着脱自在にねじ込み或いは嵌合配備したことを特徴とする洗濯機用防水パン。
【発明の詳細な説明】
【技術分野】
【０００１】
本発明は、住宅内の洗い場或いはバスルームやマンションの台所、洗面所、ベランダでの流し場或いは流し台やユニットバスなどの各種キャビネット内など床面の排水口に取り付けられる防水パン、特に洗濯機などの排水ホースを接続連結する排水用の洗濯機用防水パンに関するものである。
【背景技術】
【０００２】
従来の排水トラップは、ホースジョイントが設けられ、洗濯機の排水ホースと接続され、排水ホースから流出する廃水（汚水）を床下に配設した排水管に案内するために用いられており、廃水は、ホースジョイントから排水トラップ内に流れ込み、排水管側へ送られ封水カップと封水筒とで保水する構造によってトラップを簡単に形成して、通常の排水管に洗濯機の排水を流す場合でも防水と臭気の逆流を防止することができるようになっている。
【０００３】
特許文献１の洗濯機用防水パンでは、洗濯機が充分に設置可能な面積の平面略長方形をなし、周囲に水止め用の突縁が形成され、底部の中央に点検口を有し、かつ底部の一隅には洗濯機からこぼれた水や排水を流しだ出すための多数の小孔が穿たれ、かつ上部に洗濯機の排水ホース用差し込みを有してなる排水口が設けられていることが記載されている。
【特許文献１】公開実用新案公報・実開昭６４−５９７３号公報
【発明の開示】
【発明が解決しようとする課題】
【０００４】
従来の洗い場では、防水パンの設置面積が大きく見栄えも体裁も余りよくない、しかも住宅などの家屋の床下が配管スペースとなっているため、敷設される排水トラップの設備も、床下にあって排水トラップ設備や配管の漏水の点検や設備良否の検査、点検が必要になっても、点検口があっても排水トラップ本体の内部が目視できないためにトラップや配管の良否が点検できず、漏水原因や設備検査特に満水検査時に床下の検査や、排水トラップ本体と排水管の接合状態の良否も確認できない不便があって、施工作業や住宅の維持管理上に不安があって問題があった。    
また、この防水パンは、面積の大きいトレイ状の形態をしているため、防水パン内にほこりやごみが入りやすく、これらごみのほかに泥水の汚れも堆積したりして見ためがすっきりしないで不体裁であったりするほか、洗濯機排水時に水圧で洗濯機排水ホースが躍ったり、外れたりする虞れがあって、フロアーでの使用に問題があり、また洗濯機が充分に設置可能な面積の平面略長方形をなしている防水パンでは、場所をとり点検の際にも、洗濯機の真下にあって洗濯機を取り除かなければ点検口が開けられないために取り扱い不便であるばかりか、リビングとしては、不体裁な形態であり、さらに、排水トラップ本体内に封水筒を装入する形態では、トラップ形成機構が挟隘部分に納められるために排水流路が十分確保できず、洗濯機から排出される水は洗濯槽に多量の水が溜まっている場合には、かなりの水圧を伴って排水されるので、溢流・漏水現象が多発したりして不衛生となり、その上、臭気の放出予防に満足できないこともあり、そのほかに洗濯の際に生ずる糸くずその他のごみ類によって掃除をも頻繁にしなくてはならないために取扱いの簡便化をも要請される結果となっている。
【０００５】
本発明は、これら従来の不便さを排除しようとするもので、洗い場などの床面での場所を取らずコンパクトで見た目もすっきりとした体裁良好な防水パンとし、床面或いはキャビネット内での設置も簡便に行うことができ、しかも点検時に洗濯機を移動したり取り除いたりすることなく取り扱いの簡易化を図ることにある。        
さらに本発明では、防水パン内にほこりやごみが入らずに防臭効果も上げられると共に、洗濯機排水ホースが躍ったり、外れたりする虞れもなく安全に用いられ、また排水トラップ設備や配管の漏水の点検や設備良否の検査、点検が必要になっても、蓋体およびトラップ形成体を外すことで点検でき、施工作業や住宅の維持管理が容易であり、漏水予防のほかＳＡＲＳなどの感染予防にも寄与し環境衛生の向上に役立ち安全性を大幅に高められるし、洗濯機の排水の際に排水量が増加しても消泡機能があって、排水が外部に溢れることなく水密状態を保って確実に排出できると共に、下流側からの臭気の逆流も確実に止めることができるほか、施行工事が容易で、しかも排水管内の高流速の維持で排水口のごみ詰り現象がなく安全に用いられる低コストの洗濯機用防水パンを提供することを目的としている。  
【課題を解決するための手段】
【０００６】
本発明は、床面の排水口に嵌合されて床面に固定され、洗濯機の排水を外部に洩れることなく受けて排出できる防水パンと、洗濯機排水ホースを接続するホースジョイントを介して床面下に配設される排水管に連結されて、トラップ機能をはたす排水トラップ本体とを備えた洗濯機用防水パンにおいて、前記防水パンの上面部を覆う蓋体を防水パンに着脱自在に配備し、該蓋体に前記洗濯機排水ホースが接続されるホースジョイントを挿入する開孔と、ホースジョイント及び洗濯機排水ホースを嵌入するホース受け部とを形成して、該ホース受け部にホースジョイントを含む洗濯機排水ホースを挿入保持した構成の洗濯機用防水パンとしたことで、洗い場などの床面での場所を取らずコンパクトで体裁良好な防水パンとして、床面或いはキャビネット内での設置も簡便に行うことができ、しかも点検時に洗濯機を移動したり取り除いたりすることなく取り扱いの簡易化を図るのに便利である。  
【０００７】
また、本発明では、前記蓋体が、放水パンに覆われて配され、前記洗濯機排水ホース及びホースジョイントの外周に沿う凹面をホース長手方向に添って形成したホース受け部としたことと、前記ホースジョイントの外周に沿って開口のあるカバーを前記ホースジョイントを挿入する開孔の周囲上面に突設したことで、防水パン内にほこりやごみが入らずに防臭効果も上げられると共に、ホースジョイントと洗濯機排水ホースとの接続部から漏水があっても、その滴り水を前記ホース受け部によって受けて流し開孔を経て排水トラップ本体に確実に導入して防水パン周囲に垂れ流すこともなく、また洗濯機排水ホースが躍ったり、外れたりする虞れもなく安全に用いられるようにしてある。
【０００８】
さらに本発明の洗濯機用防水パンでは、前記ホース受け部が、前記蓋体に突設した突出片を備えて、前記洗濯機排水ホースを結束バンドによってバンド掛け止めできるホース固定係止部を備えたことで、蓋体に洗濯機排水ホースが定着できて洗濯機排水ホースが躍ったり、外れたりする虞れもなく安全に用いられ、洗い場などの床面での場所を取らずコンパクトで体裁良好な防水パンとするのが好ましい。
【０００９】
この洗濯機用防水パンにおいて、前記蓋体が、前記防水パンの内周縁部に嵌合する外周面を有する覆体からなり、内外周面に形設した凹凸係止部でによって防水パン上に嵌合固着したことで、洗濯機排水ホースと洗濯機用防水パンとの脱着が簡便にでき、その結合が確実となるようにするのがよく、排水トラップを安全に用いられるし、防水パンに固定されたトラップ機能を果たす封水カップと、該封水カップに流水用の間隔をあけて嵌挿され下端開口部で連通する封水筒と、さらに該封水筒に流水用の間隔をあけて嵌挿され、前記封水カップに載置される案内筒とを挿脱自在に備えられ、該排水トラップ本体に、洗濯機排水ホースが接続される排水ホース取付用のホースジョイントのある目皿を目皿受を介して着脱自在にねじ込み或いは嵌合配備したことで、施工作業や住宅の維持管理が容易になるようにするのがよい。
【発明の効果】
【００１０】
本発明は、洗い場などの床面での場所を取らずコンパクトで見た目もすっきりとした体裁良好な防水パンとすることができ、床面或いはキャビネット内での設置も簡便に行うことができ、しかも点検時に洗濯機を移動したり取り除いたりすることなく取り扱いの簡易化を図ることができる。      
さらに本発明では、防水パンの上面部を覆う蓋体を防水パンに着脱自在に配備してあるので、防水パン内にほこりやごみが入らずに防臭効果も上げられると共に、蓋体に前記洗濯機排水ホースが接続されるホースジョイントを挿入する開孔と、ホースジョイント及び洗濯機排水ホースを嵌入するホース受け部とを形成して、該ホース受け部にホースジョイントを含む洗濯機排水ホースを挿入保持できるので、洗濯機排水ホースが躍ったり、外れたりする虞れもなく安全に用いられ、漏水事故になるともなく衛生的に使用でき、さらに排水トラップ設備や配管の漏水の点検や設備良否の検査、点検が必要になっても、蓋体およびトラップ形成体を外すことで点検でき、施工作業や住宅の維持管理が容易で低コストの洗濯機用防水パンとすることができる。
【００１１】
また本発明は、防水パンの上面部にある前記蓋体が、前記洗濯機排水ホース及びホースジョイントの外周に沿う凹面をホース長手方向に添って形成したホース受け部としたことで洗濯機排水ホースの垂れ下がりや固定位置の移動を防止し安定した配管定置が可能で、外観見栄えも良好にでき体裁も好ましいものにできるし、前記ホースジョイントと洗濯機排水ホースとの接続部から漏水があっても、その滴り水をホース受け部によって受けて流しホースジョイントを差し込んだ開孔を経て排水トラップ本体に確実に導入して防水パン周囲に垂れ流すこともなく、前記ホースジョイントの外周に沿って開口のあるカバーを前記ホースジョイントを挿入する開孔の周囲上面に突設すると、防水パン内にほこりやごみが入らずに防臭効果も上げられると共に、洗濯機排水ホースの躍り上がりや、外れをなくして漏水予防のほかＳＡＲＳなどの感染予防にも寄与し環境衛生の向上に役立ち安全性を大幅に高められる効果がある。
【００１２】
さらにまた、本発明の洗濯機用防水パンは、前記ホース受け部が、前記蓋体に突設した突出片を備えて、前記洗濯機排水ホースを結束バンドによってバンド掛け止めできるホース固定係止部を備えたことにより、蓋体に洗濯機排水ホースが定着できて洗濯機排水ホースが躍ったり、外れたりする虞れもなく安全に用いられ、洗い場などの床面での場所を取らずコンパクトで見た目もすっきりとした体裁良好な形態とすることができる。
【００１３】
本発明の洗濯機用防水パンでは、前記蓋体が、前記防水パンの内周縁部に嵌合する外周面を有する合成樹脂製覆体からなり内外周面に形設した凹凸係止部でによって防水パン上に嵌合固着したことにより、洗濯機排水ホースと洗濯機用防水パンとの脱着が簡便にでき、その結合も確実となるので、排水トラップ設備や配管の漏水の点検や設備良否の検査、点検が必要になっても、蓋体およびトラップ形成体を外すことで点検でき、施工作業や住宅の維持管理が容易で低コストの洗濯機用防水パンとすることができるし、排水トラップでの排水流路が十分確保でき漏水することなく、排水管路内での高流速の維持が確実にできてごみ詰り現象がなく安全に用いられ、しかも前記封水カップ、封水筒や消泡筒のトラップ形成体が着脱自在なので、排水口から封水筒、トラップ形成体を取り外して清掃することが楽にでき、排水トラップを安全に用いられるほか、防水パンに固定されたトラップ機能を果たす封水カップと、該封水カップに流水用の間隔をあけて嵌挿され下端開口部で連通する封水筒と、さらに該封水筒に流水用の間隔をあけて嵌挿され、前記封水カップに載置される案内筒とを挿脱自在に備えられ、該排水トラップ本体に、洗濯機排水ホースが接続される排水ホース取付用のホースジョイントのある目皿を目皿受を介して着脱自在にねじ込み或いは嵌合配備したことで、施工作業や住宅の維持管理の簡便化を図ることができる。
【発明を実施するための最良の形態】
【００１４】
以下、本発明の実施の形態を図面を参照して説明する。
この実施の形態における洗濯機用防水パンでは、図１乃至図６に示すように、防水パン１の排水口に排水トラップ本体２が嵌合され床面上に載置固定されて用いられる。
図１及び図２の例では、洗濯機の排水を外部に洩れることなく受けて排出できる洗濯機用防水パン１が、床面ａの排水口ｂに嵌合されて床面ａに固定され、該防水パン１に装着した排水トラップ本体２に洗濯機排水ホースｃをホースジョイント３を介して接続し、かつ床面ａ下に配設される排水管ｄに連結されて、トラップ機能をはたす排水トラップ構成を持った洗濯機用防水パンとしてある。
そして、前記防水パン１の上面部を覆う蓋体４を防水パン１に着脱自在に配備し、該蓋体４に、洗濯機排水ホースｃが接続されるホースジョイント３を挿入する開孔５と、ホースジョイント３及び洗濯機排水ホースｃを嵌入するホース受け部６とを形成して、該ホース受け部６にホースジョイント３を含む洗濯機排水ホースｃを挿入保持してあるが、洗濯機排水ホースｃをホースジョイント３を介して開孔５に案内して収納でき、洗濯機から床面ａの排水口ｂに排水をスムーズに排出することができると共に、洗濯機排水ホースｃの収まりもよく不体裁になることもなく用いられる。
この場合、前記蓋体４に形成される開孔５は、ホースジョイント３を差し込むホースジョイント３の直径と等しいか或いはそれ以上に大きい内周径を持った円形の中心孔にするか、該中心孔より外周に向かって開口が長く広がった楕円形の孔に形成して、ホースジョイント３を嵌め込まれるようになっていて、ホースジョイント３および洗濯機排水ホースｃの外周に沿った凹面を開孔５に向かって傾斜した、即ち蓋体４の上面に外端に向かって深さが漸減する凹面部に形成してホース受け部６に連続させて、ホースジョイント３と洗濯機排水ホースｃとの接続部から漏水があっても、その滴り水を前記ホース受け部６の凹面で受けて流し前記開孔５を経て排水トラップ本体２に確実に導入して処理できるようにするのがよく、この凹面は開孔５の大きさを適宜選んだ形態で蓋体４に形成して洗濯機排水ホースｃを含むホースジョイント３を嵌入できるようにするのが好ましい。
【００１５】
前記蓋体４としては、前記洗濯機排水ホースｃ及びホースジョイント３の外周に沿う凹面をホース長手方向に添って形成したホース受け部６とするのがよく、この蓋体４に形成した開孔５の一部に上方を覆うカバー７を必要に応じ設けてある。（図３及び図４）
前記カバー７は、ホースジョイント３の外周に沿って開口７１  のあるカバー体とするのがよく、前記ホースジョイント３を挿入する開孔５の周囲上面に突設してあるが、上方を覆う領域はホースジョイント３の挿入に支障のない範囲に止めて傾斜した開孔縁とするのが望ましい。
【００１６】
また、前記ホース受け部６は、前記蓋体４の開孔５の縁又は縁取片と、該縁に沿って突設した傾斜面からなる突出片８に形成した凹面部によって構成し、該突出片８に前記洗濯機排水ホースｃをナイロンバンド等の結束バンド９で縛ることによってバンド掛け止めできるホース固定係止部、例えば切欠溝１０を備えて切り込みから結束バンド９を挿入係止し、洗濯機排水ホースｃの外周に結束バンド９を巻き付けて縛り洗濯機排水ホースｃが蓋体４に定着できて洗濯機排水ホースｃが躍ったり、外れたりすることがないようにするのがよい。
【００１７】
なお、前記蓋体４は、前記防水パン１の内周縁部に嵌合する外周面を有する合成樹脂製覆体或いはステンレスやビニールコーティング鋼板等の金属製覆体その他目視可能の透明素材で防水パン１の内部を透視できる素材または、防水パン１の素材に適合できる素材からなり、内外周面に形設した凹凸係止部１１によって防水パン１の内周面に着脱自在に嵌合固着或いは螺合止めできるようにし、排水トラップ設備や配管の漏水の点検や設備良否の検査、点検が必要になった際に、前記蓋体４およびトラップ本体２内に構成されるトラップ形成体を外したり組み立てたりすることができるようになっている。  
【００１８】
前記排水トラップ本体２が、トラップ機能を果たす封水カップ１２と、該封水カップ１２に流水用の間隔をあけて嵌挿され下端開口部で連通する封水筒１３と、さらに該封水筒１３に流水用の間隔をあけて嵌挿され、前記封水カップ１２に載置される案内筒１４とを挿脱自在に備えられ、該排水トラップ本体２に、洗濯機排水ホースｃが接続される排水ホース取付用のホースジョイント３のある目皿１５を目皿受１６を介して着脱自在にねじ込み或いは嵌合配備した構成からなっている。
【００１９】
前記防水パン１には、図５に示す如く床面ａ上に固着するため縁部の適宜の複数カ所に床面取付孔２０を設け、中央部に前記排水トラップ本体２の嵌合段縁２１と、該嵌合段縁の最上段に蓋嵌合部２２とを円形状に備えて、底面に排水トラップ本体２の嵌合取付口２３を形成した略正方形、円形或いは長方形の形態に形成し、縁取り装飾と外傷を防ぐ安全性を兼ね備えた見栄えのよいものに構成するのがよく、リビングに適合したデザインにして洗濯機の設置箇所の変化に対応するようにするのがよく、さらに、前記蓋体４も装飾用の化粧カバーとしてリビングに適合した体裁良好な形態にするよう配慮するのもよい。
【００２０】
そして前記排水トラップ本体２に排水管ｄを連結できる横引き接続部２４或いは縦引き接続部を一体形成し、該排水トラップ本体２をパッキンのシール部材２５を介して前記防水パン１の嵌合取付口２３に嵌着固定する。この排水トラップ本体２を目視可能の無色透明ないし黄色、赤色、青色等の顔料によって着色した有色透明或いは半透明の合成樹脂例えば、ＡＢＳ樹脂、ＰＰ樹脂などによって内部を透視できる構成とすることもできる。
【００２１】
前記封水カップ１２としては、前記目皿受１６に挿脱自在に嵌挿される有底筒体であって、底面に流水用の隙間を形成できる翼片１４２  を所定間隔をあけて立設し、かつ筒体上部周側面にオーバーフロー孔となる流水スリット２７を周方向に間隔をおいて複数設けてある。
また、封水カップ１２内に流水用の間隔をあけて嵌挿される前記封水筒１３も、前記封水カップ１２に嵌挿されるテーパー筒部１３２  を有し、かつ前記目皿受１６に嵌合されるフランジ１３１  を有する中空筒体であって、該中空筒体の下端開口部内に前記案内筒１４の外周に突設した消泡用リブ１４１  が挿入配備される形態としてある。
【００２２】
さらに、前記案内筒１４は、両端開口で前記ホースジョイント３に接続される側の内周面にホースジョイント係止部の段差部を形成した中空筒体であって、下端開口の筒体下端外周に外環板１４３  を突設し、該外環板１４３  に所定間隔をあけて筒体外周に消泡用リブ１４１  を設けると共に、前記封水カップ１２の内底面に立設される翼片１４２  上に載置されて前記封水筒１３との間に流水用の隙間をあけて配備されている。
【００２３】
前記排水トラップ本体２と前記目皿受１６との間に、また前記封水カップ１２と、封水筒１３のフランジ１３１  との間に、リング状のスリップパッキン２８，２８１  および平パッキン２９，２９１  のシール部材を介在配備して、目皿受７を排水トラップ本体２に、さらに目皿１５を目皿受１６に嵌着することによって、封水密着配備して排水トラップを漏水防止形態とすることができる。
また、洗濯機の前記排水ホースｃは、ナイロンバンド等のホース固定バンドによってホースジョイント３に接続連結されて排水トラップ本体２が洗濯機に接続され、また前記ホースジョイント３と洗濯機排水ホースｃとの接続部から漏水があっても、その滴り水をホース受け部６で排水トラップ本体２に確実に流して処理できるようにするのがよい。
【００２４】
前記排水トラップ本体２は、各部材が耐衝撃性、耐腐性、および耐熱性などに優れたＡＢＳ樹脂などで成形され、排水口を覆い防水パン或いは床面に圧接固着されるが、前記目皿１５は、ねじ部によって固着できる複数の取付孔（本実施形態では２個）が周方向に間隔をおいて穿設されている。この目皿１５を嵌合保持する目皿受１６には、外周にネジ部２６を備え、排水トラップ本体２のネジ部２１  に着脱自在に螺合され圧接保持できるようにしてある。
【００２５】
この場合、前記ホースジョイント３は、エラストマーなどの軟性樹脂からなるエルボを用い、このホースジョイント３を目皿１５或いはパッキンホルダーで、排水トラップ本体２に締め付ける形態とすることもでき、ホースジョイント３に接続される案内筒１４に相対するフランジ部が押し付けられるようにしても、水密に保った状態で強固に接続することができる。
【００２６】
前記封水筒１３は軽量性、耐熱性に優れたＡＢＳ、ＰＰ樹脂などで、上部をカップ状の円錐筒形に成形され、その内面上部に補強リブ３０を有し、中央部に案内筒１４が備えられ、前記封水カップ１２の内周に嵌装保持されて用いられ、排水の流れに溜まりや衝突をできるだけなくして、より良い排水の流れを形成することができる。
【００２７】
前記排水トラップ本体２においては、封水カップ１２の貯留水中に漬かる筒状の封水筒１３のトラップ形成体によりトラップ機構を備えるが、前記ホースジョイント３を経て案内筒１４に入った汚水は、該案内筒１４の周方向にほぼ全周にわたって広く開いた開放型の下端開口から封水カップ１２に導入され、さらに下底部に流水用隙間を形成する翼片１４２  によって誘導され、さらに封水カップ１２の湾曲側壁に沿って上向流で流過して上部の流出スリット２７からオーバーフローして噴出される。
一方、前記目皿１５から流入する漏れ水は、案内筒１４の外周を伝って下端開口から外周を流れる上向流に巻き込み誘引混合されて、流出スリット２７からオーバーフローして噴出され、排水トラップ本体２の接続部２４に連結された排水管ｄに排出される。
この場合、前記排水トラップ本体２内に封水筒１３で構成される空間周辺を中心に強い乱れを伴なう反転流を形成することとなり、封水筒１３の壁付近の流速は激しく外周方向に誘導されて、洗剤等の管壁への付着を防げる効果をもつほか、管路流の閉塞現象やごみ詰り現象の発生がなく有効に用いられ、また前記案内筒１４に消泡用リブ１４１  を形成してあるので、貯留水の泡立ちを未然に防ぎ目皿１５より逆流噴出することがなく排水トラップを衛生的に使用できるものである。
【００２８】
なお、前記ホースジョイント３と案内筒１４との固定用の目皿１５或いはパッキンホルダーとしては、中央に案内筒１４の嵌合孔を有する中空板或いは円筒体からなり、旋回操作用のすべり防止の凹凸面を外側に設け、目皿受１６或いは排水トラップ本体２に設けた凸状係合部或いはねじ部を嵌合させるガイド凹溝或いはねじ部を備え、前記排水トラップ本体２に封水カップ１２及び封水筒１３を嵌入したのち、案内筒１４を接続してホースジョイント３の一端開口を連結し、目皿１５或いはパッキンホルダーを装着すれば、前記封水カップ１２および封水筒１３からなるトラップ形成体を排水トラップ本体２内に容易に組み入れセットすることができる。
【００２９】
前記排水トラップ本体２を防水パン１に備えるのに、図１に示すように防水パンａに開口した排水口ｂに排水トラップ本体２を固着した例では、横引き接続部２４のある排水トラップ本体２は、トラップ機能をはたす案内筒１４と封水筒１３および排水カップ１２とを排水トラップ本体２に挿脱自在に備えたものからなり、排水ホース取付用のホースジョイント３のあるごみよけ目皿１５を着脱自在にねじ込み或いは嵌合配備するのがよい。
防水パンａの排水口２３は、目皿１５で覆われていてこれを取り外せば、案内筒１４と封水筒１３および排水カップ１２とを取り除くことができ、排水管ｄを高圧洗浄等の清掃も容易に行えるし、排水ホースｃのホースジョイント３も目皿１５に回転自在に連結して洗濯機排水ホースｃとの取り扱いを簡易にすることができる。
また、前記排水ホースｃは、必要に応じて蛇腹部を介して、ホース固定バンドによってホースジョイント３に嵌挿入状態を維持できるようにしてもよく、さらに前記排水トラップ本体２、排水カップ１２、封水筒１３およひ案内筒１４がＡＢＳ樹脂、ＰＰ樹脂などの合成樹脂で一体成形されているので、さびることがなく、清潔性を大いに維持することができるとほか取扱いがきわめて容易となる。
【００３０】
図１の例でも、洗濯機に排水トラップ本体２を取り付けるには、床面ａに設けられた排水トラップ本体２の排水管ｄの管径を確認し、排水トラップ本体２の排水管接続部２４に排水管ｄを接続固着する。次いで、防水パン１に排水トラップ本体２を固着し、目皿受１６を嵌入配備してトラップ機能をはたす案内筒１４と封水筒１３および排水カップ１２とを排水トラップ本体２に嵌入保持させればよい。
そして、前記案内筒１４にホースジョイント３を挿入接続して目皿受１６にホースジョイント３のある目皿１５を定着し、ホースジョイント３の他端開口のホース受けパイプに洗濯機の排水ホースｃを挿入接続すれば、排水トラップの施工作業を終了することができる。
【００３１】
このような状態で洗濯機の排水ホースｃから汚水が流れてくると、この汚水は、前記ホースジョイント３から案内筒１４、排水カップ１２を経てトラップ形成体を経由して流出スリット２７より排水管ｄに流出する。なお、この排水管ｄを経由してくる悪臭は、前記封水筒１３に貯えられた汚水のトラップ作用により、案内筒１４および排水筒体１３からトラップ形成体に流れ込むのを確実に抑制防止される。
【００３２】
この場合、前記蓋体４を防水パン１より外して防水パン１に嵌合されている目皿１５を外せば、トラップ機能をはたす封水カップ１２と、該封水カップ１２に流水用の間隔をあけて嵌挿され下端開口部で連通する封水筒１３と、さらに該封水筒１３に流水用の間隔をあけて嵌挿され、前記封水カップ１２に載置される案内筒１４とからなるトラップ形成体を前記排水トラップ本体２より取り出すことができて、内部の清掃や点検も簡便に行うことができので、ＳＡＲＳなどの感染予防にも寄与し環境衛生の向上に役立ち安全性を大幅に高められる。
【００３３】
また、この防水パン１は、洗濯機の設置可能な十分な面積がなくても床面に載置しているため、場所をとらず点検の際には、防水パン１上の蓋体４を取り外して排水トラップ本体２内のトラップ形成体を引き出すことができ、洗濯機を取り除いたり移動したりすることなく点検することが可能で、取り扱い簡便であるばかりか、リビングとしては、体裁良好な形態であり、洗濯機の排水の際に排水量が増加しても排水が外部に溢れることなく水密状態を保って確実に排出できると共に、下流側からの臭気の逆流も確実に止めることができるほか、施行工事が容易で、しかも排水管内の高流速の維持で排水口のごみ詰り現象がなく安全に用いられる。
【００３４】
なお、床面の排水口に嵌合されて床面に固定される  前記防水パン１は、洗濯機の排水を外部に洩れることなく受けて排出できるもので、洗濯機排水ホースｃを接続し、かつ床面下に配設される排水管ｄに連結されて、トラップ機能をはたすトラップ形成体を有する排水トラップ本体２を備えた洗濯機用防水パン１であって、前記防水パン１に取り外し可能に備えられて防水パン上面部を覆う蓋体４を配し、該蓋体４に、洗濯機排水ホースｃがホースジョイント３を介して連結され、さらにホースジョイント３を挿入する開孔５と、該開孔５に洗濯機排水ホースｃ及びホースジョイント３を嵌入するホース受け部６とを形成して、該ホース受け部６に洗濯機排水ホースｃを挿入保持したことで、洗い場などの床面での場所を取らずコンパクトで体裁良好な防水パンとして用い、点検時に洗濯機を移動したり取り除いたりすることなく取り扱いの簡易化を図ることができる形態として使用する。
【００３５】
また、実施形態の前記洗濯機用防水パン１は、リビングでの床面ａに限らず、洗濯作業に付帯して使用したり、取り扱ったりするボックス状のキャビネットに設置して用いることができて、住宅内での流し場を汚すことなく見栄えのよい環境作りに寄与する形態で用いられるようになっている。
【００３６】
図６の防水パン１の例では、前記蓋体４に形成した前記開孔５はホースジョイント３を差し込むホースジョイント３の直径と等しい内周径を持った円形の中心孔にして、該中心孔よりホースジョイント３を嵌め込まれるようになっていて、ホースジョイント３および洗濯機排水ホースｃの外周に沿った凹面を開孔５に向かって傾斜し、蓋体４の上面に外端に向かって深さが漸減する凹面部に連続形成したホース受け部６を設けて、ホースジョイント３を含む洗濯機排水ホースｃ、特にエルボ部を挿入保持し、該ホースジョイント３と洗濯機排水ホースｃとの接続部から漏水があっても、その滴り水を前記ホース受け部６の凹面で受けて流し前記開孔５を経て排水トラップ本体２に確実に導入して処理できるようにしてある。
【図面の簡単な説明】
【００３７】
【図１】本発明に係る洗濯機用防水パンを示し、（Ａ）はその縦断面図、（Ｂ）はそのＸ−Ｘ線  における縦断面図である。
【図２】図１の例の分離状態示す斜視図である。
【図３】図１の例で用いられる蓋体を示すものであって、（Ａ）はその平面図、（Ｂ）はその使用状態の側面図である。
【図４】図３の例の蓋体の一例を示し、（Ａ）はその縦断面図、（Ｂ）はその使用状態の縦断面図である。
【図５】図４の例の防水パンを示し、（Ａ）はその平面図、（Ｂ）はその縦断面図である。
【図６】本発明の蓋体の他の実施例を示し、（Ａ）はその縦断面図、（Ｂ）はその使用状態の縦断面図である。
【符号の説明】
【００３８】
ａ    床面
ｂ    排水口
ｃ    排水ホース
ｄ    排水管    
１    防水パン  
２    排水トラップ本体
２１    ネジ部
３    ホースジョイント
４    蓋体
５    開孔
６    ホース受け部
７    カバー
７１    開口  
８    突出片
９    結束バンド
１０    切欠溝
１１    凹凸係止部
１２    封水カップ  
１３    封水筒      
１３１    フランジ
１３２    テーパー筒部
１４    案内筒  
１４１    消泡用リブ
１４２    翼片
１４３    外環板  
１５    目皿  
１６    目皿受  
２０    取付孔
２１    嵌合段縁
２２    蓋嵌合部
２３    嵌合取付部  
２４    横引き接続部
２５    シール部材
２６    ネジ部
２７    流水スリット
２８    パッキン
２９    パッキン
３０    補強リブ
【図１】
2006265953.tif 000003
【図２】
2006265953.tif 000004
【図３】
2006265953.tif 000005
【図４】
2006265953.tif 000006
【図５】
2006265953.tif 000007
【図６】
2006265953.tif 000008